(57)【要約】【課題】  記録時間の短い番組や曲であっても、記録媒体に対するインデックスサーチにより漏れることなく頭出しを行うことである。【解決手段】  記録再生装置３０は、制御部１１、キー処理部１４、コントロール信号検出部１６、インデックス信号検出部１８及びインデックス信号カウント部１９を備えている。制御部１１は、ユーザによるインデクスサーチを実行する操作が行われたことをキー処理部１４が検出したことを検出すると、コントロール信号検出部１６を直ちにコントロール信号の検出を開始するよう制御する。  また、制御部１１は、前記コントロール信号検出部１６に対する前記制御を行った後の所定時間の経過後に、インデックス信号検出部１８及びインデックス信号カウント部１９の動作を開始させ、頭出し信号を検出できるようにする。【選択図】  図１
0003104146.tif 000002
【実用新案登録請求の範囲】
【請求項１】
ユーザの操作に応じて記録媒体の記録内容に対するインデックスサーチを実行する記録再生装置であって、
ユーザにより前記インデックスサーチを実行する操作が行われたことを検出する操作検出処理部と、インデックス信号を含むコントロール信号を前記記録媒体より検出するコントロール信号検出部と、前記コントロール信号検出部により検出されたコントロール信号をカウントするコントロール信号カウント部と、前記コントロール信号検出部により検出されたコントロール信号よりインデックス信号を検出するインデックス信号検出部と、前記インデックス信号検出部により検出された前記インデックス信号をカウントするインデックス信号カウント部と、前記インデックスサーチを実行するための制御を行う制御部とを備え、
前記制御部は、前記操作検出処理部がインデックスサーチを実行する操作を検出したことを検出すると、前記コントロール信号検出部を前記コントロール信号の検出を行うよう制御し、前記コントロール信号カウント部を前記コントロール信号をカウントするよう制御し、前記インデックス信号検出部をインデックス信号の検出を行うよう制御し、前記インデックス信号カウント部を前記インデックス信号をカウントするよう制御し、
前記インデックス信号カウント部が所定数以上の前記インデックス信号をカウントすることによって頭出し信号の検出を行うようにされており、
前記インデックスサーチを実行する操作が制御部により検出されると、前記コントロール信号検出部が直ちにコントロール信号の検出を開始するとともに、前記コントロール信号カウント部が直ちにコントロール信号のカウントを開始し、
前記コントロール信号検出部がコントロール信号の検出を開始し、前記コントロール信号カウント部によるコントロール信号のカウントに対応させて時間のカウントを行うテープカウンタが２５秒以上３５秒以下の範囲の所定時間をカウントした後に、前記インデックス信号検出部がインデックス信号を検出するとともに前記インデックス信号カウント部が前記インデックス信号をカウントし、前記頭出し信号を検出するようにされた記録再生装置。
【請求項２】
前記コントロール信号の検出が開始された後に前記頭出し信号の検出を開始するまでの前記テープカウンタがカウントする所定時間が３０秒である請求項１に記載の記録再生装置。
【考案の詳細な説明】
【技術分野】
【０００１】
本考案は、いわゆるインデックスサーチ機能を有する記録再生装置に関する。
【背景技術】
【０００２】
記録再生装置には、いわゆるインデックスサーチ機能を備えるものがある（例えば、特許文献１参照）。このインデックスサーチ機能によると、記録媒体に記録されている複数の番組や曲に対して、番組等の単位でスキップさせて番組の頭出しを行うことができ便利である。
【０００３】
記録再生装置がインデックスサーチ機能を実行する際の処理の手順は、概略以下のとおりである。記録再生装置を使用する使用者（以下、「ユーザ」という。）によりインデックスサーチを行う操作がされると、記録再生装置のコントロール信号検出部が記録媒体に記録されるコントロール信号を検出する。
【０００４】
このコントロール信号にはインデックス信号が含まれている。そして、このインデックス信号の一定数以上により、番組等の頭出しに必要な頭出し信号が構成されている。
【０００５】
記録再生装置には、コントロール信号中のインデックス信号を検出するためのインデックス信号検出部や、インデックス信号の数をカウントするインデックス信号カウント部が設けられている。
【０００６】
そして、前記コントロール信号検出部がコントロール信号を検出すると、インデックス信号検出部がインデックス信号を検出し、さらにインデックス信号カウント部がインデックス信号をカウントする。そして、インデックス信号カウント部が一定数以上のインデックス信号をカウントすると、頭出し信号が検出されたとして処理され、番組等の頭出しが行われる。
【特許文献１】特開２００３−２９７０５９。
【考案の開示】
【考案が解決しようとする課題】
【０００７】
ここで、従来の記録再生装置によると、記録時間の短い番組等についてはインデックスサーチにより頭出しを行えない場合があった。そこで、本考案は、記録時間の短い番組等についても、確実に頭出しを行うことができる記録再生装置を提供することを目的とする。
【課題を解決するための手段】
【０００８】
上記課題を解決するため、本考案は、ユーザの操作に応じて記録媒体の記録内容に対するインデックスサーチを実行する記録再生装置であって、
ユーザにより前記インデックスサーチを実行する操作が行われたことを検出する操作検出処理部と、インデックス信号を含むコントロール信号を前記記録媒体より検出するコントロール信号検出部と、前記コントロール信号検出部により検出されたコントロール信号をカウントするコントロール信号カウント部と、前記コントロール信号検出部により検出されたコントロール信号よりインデックス信号を検出するインデックス信号検出部と、前記インデックス信号検出部により検出された前記インデックス信号をカウントするインデックス信号カウント部と、前記インデックスサーチを実行するための制御を行う制御部とを備え、
前記制御部は、前記操作検出処理部がインデックスサーチを実行する操作を検出したことを検出すると、前記コントロール信号検出部を前記コントロール信号の検出を行うよう制御し、前記コントロール信号カウント部を前記コントロール信号をカウントするように制御し、前記インデックス信号検出部をインデックス信号の検出を行うよう制御し、前記インデックス信号カウント部を前記インデックス信号をカウントするよう制御し、
前記インデックス信号カウント部が所定数以上の前記インデックス信号をカウントすることによって頭出し信号の検出を行うようにされており、
前記インデックスサーチを実行する操作が制御部により検出されると、前記コントロール信号検出部が直ちにコントロール信号の検出を開始するとともに、前記コントロール信号カウント部が直ちにコントロール信号のカウントを開始し、
前記コントロール信号検出部がコントロール信号の検出を開始し、前記コントロール信号カウント部によるコントロール信号のカウントに対応させて時間のカウントを行うテープカウンタが２５秒以上３５秒以下の範囲の所定時間をカウントした後に、前記インデックス信号検出部がインデックス信号を検出するとともに前記インデックス信号カウント部が前記インデックス信号をカウントし、前記頭出し信号を検出するようにされた記録再生装置である（請求項１）。
【０００９】
本考案の記録再生装置によると、前記制御部が前記インデックスサーチを実行する操作がユーザにより行われたことを検出すると、前記コントロール信号検出部はコントロール信号の検出を直ちに開始する。これにより、記録媒体に記録される番組や曲が記録時間の短いものであっても、漏れることなくインデックスサーチによる頭出しを行うことができる。
【００１０】
また、前記インデックス信号検出部によるインデックス信号の検出及びインデックス信号カウント部によるインデックス信号のカウントに基づく頭出し信号の検出が、前記コントロール信号の検出を開始した後の前記所定時間が経過した後に開始される。これにより、同一の番組や曲においてインデックスサーチを無駄に繰り返すことを防ぐことができる。
【００１１】
また、前記記録再生装置について、前記コントロール信号の検出が開始された後に前記頭出し信号の検出が開始されるまでの前記テープカウンタがカウントする所定時間を３０秒とすることができる（請求項２）。
【００１２】
この考案の記録再生装置によると、前記コントロール信号検出部がコントロール信号の検出を開始した後に前記テープカウンタが３０秒をカウントすると、インデックス信号検出部及びインデックス信号カウント部による頭出し信号の検出が開始される。
【考案の効果】
【００１３】
本考案は、以上説明したような形態で実施され、以下に記載するような効果を奏する。本考案の記録再生装置によると、インデックスサーチを実行する操作がユーザにより行われたことを検出すると、インデックスサーチを実行するために検出されるべきコントロール信号の検出を直ちに開始する。これにより、記録媒体に記録される番組や曲が記録時間の短いものであっても、漏れることなくインデックスサーチによる頭出しを行うことができる。
【００１４】
また、コントロール信号に含まれるインデックス信号の検出とインデックス信号のカウントとに基づく頭出し信号の検出が、コントロール信号の検出を開始した後の前記所定時間が経過した後に開始される。これにより、同一の番組や曲においてインデックスサーチを無駄に繰り返すことを防ぐことができる。
【考案を実施するための最良の形態】
【００１５】
本考案の実施の形態について、図１乃至図３に基づいて説明する。図１は、本考案の一実施形態である記録再生装置３０の概略構成を示すブロック図である。記録再生装置３０は、リモコン送信機７とリモコン受光部５と制御用マイコン２０と図１に図示されない記録再生手段とを備えている。
【００１６】
記録再生手段は、記録媒体２５に記録されている内容を読み出す機能と記録媒体２５への記録を行う機能とを備えている。記録媒体２５にはビデオテープが用いられる。そして、記録再生手段は、ビデオテープへの記録及びビデオテープの再生を行い得るものが設けられる。
【００１７】
記録媒体２５としてのビデオテープには、アナログ式テープ及びディジタル式テープの双方が用いられ得る。そして、記録再生手段として、このテープの種類に対応させたものが適宜に設けられる。
【００１８】
この記録再生装置３０を使用する使用者（以下、「ユーザ」という。）は、リモコン送信機７を用いて記録再生装置３０の操作を行うことができる。リモコン送信機７には、記録再生装置３０を操作するための各種の操作キーが設けられている。
【００１９】
これらの操作キーとして、記録再生装置３０を電源オンするための電源キーや、記録媒体２５の再生や記録媒体２５に記録するための記録再生キーが設けられている。
【００２０】
また、この操作キーとして、インデックスサーチを実行するためのインデックスキーが設けられている。インデックスサーチは、記録媒体２５に記録されている番組や曲（以下、「番組等」という）について、記録媒体２５を早送りし又は巻戻しつつ番組等の頭出しを行う機能である。
【００２１】
このインデックスキーを操作してインデックスサーチの内容を設定するにあたり、記録媒体２５に記録される番組等の単位でいくつの番組等をスキップさせて頭出しを行うかを設定することができる。
【００２２】
例えば、インデックスサーチの内容として、「INDEX REW 3」、「INDEX FF 2」、「INDEX -3」、「INDEX +2」等を設定することができる。「INDEX REW 3」は、巻戻しにより番組等を３つスキップさせることを表す。「INDEX FF 2」は、早送りにより番組等を２つスキップさせることを表す。「INDEX -3」は、巻戻しにより番組等を３つスキップさせることを表す。「INDEX +2」は、早送りにより番組等を２つスキップさせることを表す。
【００２３】
リモコン送信機７が操作されると、操作された操作キーに応じたキーコードがリモコン送信機７より送信される。リモコン送信機７より送信されたキーコードはリモコン受光部５により検出される。リモコン受光部５により検出されたキーコードは、後に説明する制御用マイコン２０のキー処理部１４に入力される。
【００２４】
制御用マイコン２０は記録再生装置３０の制御を行う。制御用マイコン２０は、ＣＰＵ（中央処理装置）、ＲＯＭ（読み出し専用メモリ）、及びＲＡＭ（読み書き可能メモリ）を備えている。また、制御用マイコン２０には、外部メモリ２１が接続されている。この外部メモリ２１は、Ｅ２ＰＲＯＭ等の不揮発性メモリにより構成することができる。
【００２５】
制御用マイコン２０には、制御部１１、インデックス動作処理部１２、インデックス設定部１３、キー処理部１４、カウンタ１５、コントロール信号検出部１６、コントロール信号カウント部１７、インデックス信号検出部１８、及びインデックス信号カウント部１９が形成されている。制御用マイコン２０に形成されるこれらの各部は、ＲＯＭ内の演算処理が可能なプログラムによってモジュール化されている。
【００２６】
制御部１１は、制御用マイコン２０の動作の制御を行う。制御部１１は、各設定部や処理部、カウント部、検出部などすべての動作を制御する。制御部１１が制御用マイコン２０の各部を制御することにより、制御用マイコン２０が記録再生装置３０の動作を制御する。カウンタ１５は、制御用マイコン２０の内部カウンタである。制御部１１は、数値や時間、各制御のためのカウントに利用する。
【００２７】
キー処理部１４は、入力されたキーコードに基づきリモコン送信機７の操作された操作キーの内容を判別する処理を行う。キー処理部１４には、リモコン受光部５よりキーコードが入力される。そして、キー処理部１４により判別された操作キーの内容を表すデータは、制御部１１に入力される。
【００２８】
リモコン送信機７のインデックスサーチキーが操作された場合には、キー処理部１４は、インデックスサーチキーの操作の内容を表すインデックスサーチ検出信号を後に説明するインデックス設定部１３に出力する。
【００２９】
また、リモコン送信機７のインデックスサーチキー以外の操作キーが操作された場合、キー処理部１４が操作キーを判別する信号を出力することにより、リモコン送信機７に対する操作の内容に応じた動作を行うように記録再生装置３０が制御される。このキー処理部１４は、ユーザによりインデックスサーチを実行する操作が行われたことを検出する操作検出処理部にあたる。
【００３０】
インデックス設定部１３は、入力されたインデックスサーチ検出信号に基づき、インデックスサーチの内容を自身に設定する。また、インデックス設定部１３は、インデックスサーチの内容を表すインデックスサーチデータを、インデックス動作処理部１２に出力する。
【００３１】
インデックス動作処理部１２は、インデックス設定部１３より入力されたインデックスサーチデータに基づき、インデックスサーチの動作の制御を行う。インデックス動作処理部１２は、制御部１１の制御により、入力されたインデックスサーチデータに基づきインデックスサーチの内容の検出を行う。
【００３２】
また、インデックス動作処理部１２は、後に説明するコントロール信号カウント部１７による番組等の頭出しの判断を所定時間禁止する処理を行う。また、インデックス動作処理部１２は、後に説明するインデックス信号カウント部１９より入力されるデータに基づき、頭出し信号の有無に応じた番組等のカウントを行う。
【００３３】
コントロール信号検出部１６は、記録媒体２５に記録されるコントロール信号の検出を行う。コントロール信号検出部１６には、記録媒体２５よりコントロール信号が入力される。
【００３４】
コントロール信号検出部１６は、制御部１１によりコントロール信号の検出が可能な状態にされると、コントロール信号の検出を行う。制御部１１は、インデックスサーチの入力が行われたことを検出すると、コントロール信号検出部１６を直ちにコントロール信号の検出が可能な状態とする。
【００３５】
コントロール信号カウント部１７は、コントロール信号のカウントを行う。コントロール信号カウント部１７には、コントロール信号検出部１６よりコントロール信号が入力される。
【００３６】
コントロール信号カウント部１７は、制御部１１によりコントロール信号のカウントが可能な状態にされると、コントロール信号のカウントを行う。制御部１１は、インデックスサーチの入力が行われたことを検出すると、コントロール信号カウント部１７を直ちにコントロール信号のカウントが可能な状態とする。
【００３７】
コントロール信号カウント部１７は、コントロール信号に含まれるパルスのうちデューティ（DUTY）が６０％の信号を通常のコントロール信号としてカウントする。このコントロール信号カウント部１７によるコントロール信号のカウントに対応させて、テープカウンタによる時間のカウントが行われる。
【００３８】
インデックス信号検出部１８は、インデックス信号の検出を行う。インデックス信号検出部１８は、コントロール信号検出部１６より入力されたコントロール信号に含まれるインデックス信号の検出を行う。
【００３９】
インデックス信号検出部１８は、入力されたコントロール信号のうちパルスのデューティが２７．５％の信号をインデックス信号として検出する。インデックス信号検出部１８により検出されたインデックス信号はインデックス信号カウント部１９に出力される。
【００４０】
インデックス信号カウント部１９は、インデックス信号のカウントを行う。インデックス信号カウント部１９は、インデックス信号検出部１８より入力されたインデックス信号をカウントする。インデックス信号カウント部１９がインデックス信号を３０パルス以上カウントすると、頭出し信号が存在することが検出される。
【００４１】
この制御用マイコン２０において、制御部１１は、ユーザによりインデックスサーチを実行する操作が行われたことを検出すると、検出した操作の内容に応じて、以下のように制御する。
【００４２】
制御部１１は、記録媒体２５よりコントロール信号を読み出すよう記録再生手段を動作させる。また、制御部１１は、インデックスサーチを実行する操作を検出すると、コントロール信号検出部１６をコントロール信号の検出を行うよう直ちに動作を開始させるとともに、コントロール信号カウント部１７をコントロール信号のカウントを行うよう直ちに動作を開始させる。
【００４３】
また、制御部１１は、コントロール信号検出部１６の動作を開始させた後、頭出し信号を検出するためのインデックス信号カウント部１９によるインデックス信号のカウントに要する所定時間が経過すると、インデックス信号検出部１８及びインデックス信号カウント部１９の動作を開始させる。
【００４４】
コントロール信号検出部１６を動作を開始させた後のインデックス信号検出部１８及びインデックス信号カウント部１９の動作を開始させるまでの前記所定時間は、前記テープカウンタがカウントする時間（以下、「テープカウント時間」ともいう）における２５秒以上３５秒以下の範囲で選択される。
【００４５】
前記所定時間をテープカウント時間の２５秒以上３５秒以下の範囲で選択すると、記録媒体２５に記録される番組等が記録時間の短いものであっても、インデックスサーチによる頭出しを漏れなく行うことができる。また、同じ番組等でインデックスサーチを繰り返し行うことを防ぐこともできる。そして、前記所定時間を３０秒とするのが特に好ましい。
【００４６】
なお、制御用マイコン２０のＲＯＭには、以上に説明した処理部や検出部の他、記録再生装置３０の制御に必要なその他の制御プログラムも格納されている。
【００４７】
次に、コントロール信号、インデックス信号及び頭出し信号について、図２に基づき説明する。図２は、コントロール信号のパルス波形を示す図である。図２において、左右方向を時間ｔの経過に対応させ、上下方向をパルスの波高値に対応させて表している。
【００４８】
図２に示される信号のうち、パルスＰ１は通常のコントロール信号のパルスを示し、このパルスＰ１はパルスのデューティ（DUTY）が６０％となっている。また、パルスＰ２はインデックス信号のパルスを示しており、パルスのデューティ（DUTY）が２７．５％となっている。記録再生装置３０において、インデックス信号のパルスＰ２が３０パルス以上連続して存在すると、頭出し信号が存在するとして処理される。
【００４９】
次に、記録再生装置３０の動作の例について、図３により説明する。図３は、記録再生装置３０の動作の一例を示すフローチャートである。ユーザがリモコン送信機７を操作しインデックスサーチを実行する操作がされると、インデクスサーチを開始する（Ｓ１）。まず、インデックスサーチ開始時におけるコントロール信号のカウンタ値を読み込みＦ０にセットする（Ｓ２）。
【００５０】
次に、インデックスサーチの方向がＲＥＷ（巻戻し）の方向である場合（Ｓ３、ＹＥＳ）、現在のコントロール信号のカウンタ値を読み込みＦにセットする（Ｓ４）。そして、現在のカウンタ値Ｆが（Ｆ０−３０）より大きい場合には（Ｓ５、ＮＯ）、Ｓ４、Ｓ５を繰り返す。
【００５１】
現在のカウンタ値Ｆが（Ｆ０−３０）に等しいか、これより小さい場合には（Ｓ５、ＹＥＳ）、頭出し信号の検出を開始する（Ｓ６）。頭出し信号を検出するまで繰り返す（Ｓ７、ＮＯ）。Ｓ６、Ｓ７における頭出し信号の検出は、コントロール信号に含まれるインデックス信号の検出と、インデックス信号のカウントとを行う。
【００５２】
頭出し信号を検出すると（Ｓ７、ＹＥＳ）、この頭出し信号を検出した記録媒体２５の位置より、記録媒体を再生する（Ｓ８）。
【００５３】
また、インデックスサーチの方向がＲＥＷでなくＦＦ（早送り）の方向である場合（Ｓ３、ＮＯ）、現在のコントロール信号のカウンタ値を読み込みＦにセットする（Ｓ９）。そして、現在のカウンタ値Ｆが（Ｆ０+３０）より小さい場合には（Ｓ１０、ＮＯ）、Ｓ９、Ｓ１０を繰り返す。
【００５４】
現在のカウンタ値Ｆが（Ｆ０+３０）に等しいか、これより大きい場合には（Ｓ１０、ＹＥＳ）、Ｓ６、Ｓ７、Ｓ８の手順を実行する。
【００５５】
以上に説明した記録再生装置３０によると、インデックスサーチを実行する操作が行われたことを制御部１１が検出すると、コントロール信号検出部１６を直ちにコントロール信号の検出を開始させる。これにより、記録媒体２５に記録される番組等が記録時間の短いものであっても、インデックスサーチによる頭出しを漏れることなく行うことができる。
【００５６】
また、以上に説明した記録再生装置３０によると、インデックスサーチを開始してコントロール信号の検出を開始した後の所定時間はインデックス信号の検出に基づく頭出し信号の検出を行わない。これにより、同じ番組でインデックスサーチを繰り返し行うことを防ぐこともできる。
【図面の簡単な説明】
【００５７】
【図１】本考案の一実施形態である記録再生装置のブロック図である。
【図２】コントロール信号の波形を示す図である。
【図３】記録再生装置の動作の一例のフローチャートである。
【符号の説明】
【００５８】
５    リモコン受光部
７    リモコン送信機
１１    制御部
１２    インデックス動作処理部
１３    インデックス設定部
１４    キー処理部
１５    カウンタ
１６    コントロール信号検出部
１７    コントロール信号カウント部
１８    インデックス信号検出部
１９    インデックス信号カウント部
２０    制御用マイコン
２１    外部メモリ
３０    記録再生装置
【図１】
0003104146.tif 000003
【図２】
0003104146.tif 000004
【図３】
0003104146.tif 000005